(57)【要約】【課題】侵入検知と、開扉検知とを肘壷において行なうとともに、荷重センサを兼用して、簡単に低コストで防犯装置を備えた門扉を提供する。【解決手段】扉本体Ａに取付けた肘金２と、門柱Ｂに固定され、該肘金２を回動自在に支承する肘壷１とを備えた門扉において、該肘壷１の少なくとも１つには、上記肘金支承部１１の底面１１１周縁部を挿通して荷重センサ５に連接されたトリガ３が弾性的に突出し、上記肘金２には、その差し込み部２１下端周縁部に上記トリガ３と遊嵌する凹部４が穿たれ、通常、上記トリガ３が上記凹部４に遊嵌するとともに、扉本体Ａに所定値以上の荷重がかかったときは、上記トリガ３が侵入を検知し、上記門扉が回動したときは、上記遊嵌が外れ肘金２の差し込み部２１下端面が摺動し、トリガ３を押えることによって門扉開を検知する、侵入検知機能と開扉検知機能とを備えた肘壷１が配設される。【選択図】図２
2005002564.tif 000002
【特許請求の範囲】
【請求項１】
扉本体に取付けた肘金と、門柱に固定され、該肘金を回動自在に支承する肘壷とを備えた門扉において、該肘壷の少なくとも１つには、上記肘金支承部の底面周縁部を挿通して荷重センサに連接されたトリガが弾性的に突出し、上記肘金には、その差し込み部下端周縁部に上記トリガと遊嵌する凹部が穿たれ、上記門扉が閉の状態においては上記トリガが上記凹部に遊嵌するとともに、扉本体に所定値以上の荷重がかかったときは、上記トリガが侵入を検知し、上記門扉が回動したときは、上記遊嵌が外れ肘金の差し込み部下端面が摺動し、トリガを押えることによって門扉開を検知する、侵入検知機能と開扉検知機能とを備えた肘壷が配設された防犯装置付き門扉。
【請求項２】
上記侵入検知機能と開扉検知機能とを備えた肘壷が左右門柱の下部に配設された請求項１に記載の防犯装置付き門扉。
【請求項３】
上記肘金の差し込み部下端周縁部に穿たれた凹部とトリガとの遊嵌が容易に外れるように上記トリガの頂部が半球状とされた請求項１に記載の防犯装置付き門扉。
【請求項４】
上記荷重センサに連結されるコントローラと、電源ユニットとをさらに含む請求項１に記載の防犯装置付き門扉。
【請求項５】
上記コントローラは、侵入検知または開扉検知を判断するとともに、侵入警報発信システムまたは開扉警報発信システムを作動させる請求項４に記載の防犯装置付き門扉。
【発明の詳細な説明】
【０００１】
【発明の属する技術分野】
本発明は、防犯装置付き門扉に関する。さらに詳しくは、防犯装置を備えるとともに、肘金を肘壷に回動自在に差し込んでなる門扉に関する。
【０００２】
【従来の技術】
従来、防犯装置付き門扉等に関しては、例えば、回転扉において、扉本体が回転中に加わる所定値以上の負荷を検出するとともに、この扉本体が開扉時もしくは閉扉時に加わる所定値以上の荷重を検出したとき、制御部は、この検出信号を受けてセキュリティシステムを作動させる技術（特許文献１）、また、フェンス、門扉、塀等の外構体に圧力センサを付設するとともに、この圧力センサに連動して作動する防犯装置を設けた技術（特許文献２）等が知られている。
【０００３】
【特許文献１】
特開平１０−１９８８７０号公報（第１−５頁、第１〜３図）
【特許文献２】
特開平３−１４４８９６号公報（第１−３頁、第３図、第５図）
【０００４】
【発明が解決しようとする課題】
ところで、近年、上記門扉の施錠は、防犯上の見地から間単には開けられない仕組みの電気錠の利用が増えているが、門扉を閉じたときでも、侵入者は扉本体を乗り越えて侵入するため、その荷重を検知して警報を発信するセキュリティシステムが要望されている。一方、例えば、門扉を閉め忘れたとき等、開いたままの状態においては、防犯上の見地から門扉開を検知して開扉警報を発信し、使用者の注意を喚起することも必要である。
【０００５】
そこで、従来、上記した侵入検知と開扉検知とをそれぞれ専用ユニットにより検知し、例えば上記侵入検知は赤外線検知方式、また、開扉検知はラッチユニット方式により行い、個別に警報を発信するシステムが採用されてきた。しかしながら、上記した防犯装置の取り付けを個別に行なうと繁雑な作業を必要とし、コストも高くなるという問題がある。本発明はこのような状況の下に考え出されたものであって、侵入検知と、開扉検知とを門扉の一ヶ所において行なうとともに、同一検知方式を採用し、簡単な作業で、コスト的に有利に、上記防犯装置を備えた門扉を提供することをその課題とする。
【０００６】
【課題を解決するための手段】
上記課題を解決するために本発明においては、つぎのような技術的手段を講じている。すなわち、本発明によれば、扉本体に取付けた肘金と、門柱に固定され、該肘金を回動自在に支承する肘壷とを備えた門扉において、該肘壷の少なくとも１つには、上記肘金支承部の底面周縁部を挿通して荷重センサに連接されたトリガが弾性的に突出し、上記肘金には、その差し込み部下端周縁部に上記トリガと遊嵌する凹部が穿たれ、上記門扉が閉の状態においては上記トリガが上記凹部に遊嵌するとともに、扉本体に所定値以上の荷重がかかったときは、上記トリガが侵入を検知し、上記門扉が回動したときは、上記遊嵌が外れ肘金の差し込み部下端面が摺動し、トリガを押えることによって門扉開を検知する、侵入検知機能と開扉検知機能とを備えた肘壷が配設された防犯装置付き門扉が提供される。このようにすることによって、侵入者が扉本体を乗り越えるとき、その荷重を利用して検知する侵入検知と、門扉が開の状態を検知する開扉検知とを共に門扉の肘壷において行なうことが可能となり、また、１つの荷重センサを兼用するため、簡単かつ低コストで防犯装置を備えた門扉を提供することができる。
【０００７】
上記侵入検知機能と開扉検知機能とを備えた肘壷が左右門柱の下部に配設されることが好ましい。門柱に固定される肘壷は、通常、左右門柱の上部下部４個所に設けられるが、左右門柱の上部２個所には公知の肘壷を設けて扉本体の支持用とし、左右門柱の下部２個所に侵入検知機能と開扉検知機能とを備えた肘壷を配設して、専ら、上記侵入検知あるいは、開扉検知用として利用する。このようにすることによって、本発明にかかる肘壷の誤作動を防ぐとともに、損傷を少なくして長期間使用することができる。
【０００８】
上記肘金の差し込み部下端周縁部に穿たれた凹部とトリガとの遊嵌が容易に外れるように上記トリガの頂部が半球状とされることが好ましい。このとき、上記凹部も半球状に穿てば、遊嵌を容易に外せるとともに、上記差し込み部の下端面がスムースに摺動して上記トリガを押え、押えられたトリガは弾性的に変位して、荷重センサに開扉を伝達することができる。
【０００９】
本発明にかかる防犯装置付き門扉には、さらに荷重センサに連結されるコントローラと、電源ユニットとが含まれる。コントローラはマイクロプロセッサを内蔵するとともに、荷重センサから電送されたデータを処理し、電源ユニットはこれらの操作に必要な電力を供給する。このようにすることによって、荷重によるトリガのアナログ変位を荷重センサを経て速やかに電子化処理することができる。
【００１０】
上記コントローラは、侵入検知または開扉検知を判断するとともに、侵入警報発信システムまたは開扉警報発信システムを作動させることが好ましい。このようにすることによって、例えば、侵入を検知したときは侵入警報発信システムを作動させ、ブザーや人工音声、赤色灯の発光や閃光等を発生させて侵入者を撃退することができる。
【００１１】
【発明の実施の形態】
以下、本発明の好ましい実施の形態について、図面を参照して、さらに詳細に説明する。本実施形態においては、図６に示すように、左右門柱Ｂ、Ｂの上部に公知の肘壷Ｃ、Ｃを設けて扉本体Ａ、Ａを回動自在に支持し、左右門柱Ｂ、Ｂの下部に侵入検知機能と開扉検知機能とを備えた肘壷を配設した場合について述べる。図１は、本発明にかかる防犯装置付き門扉の外観を示す部分分解斜視図であり、図２はその要部を示す一部透視斜視図である。図１、図２において、扉本体Ａに取付けた肘金２は、その差し込み部２１を門柱Ｂに固定された肘壷１の支承部１１に回動自在に差し込まれる。
【００１２】
図２によく示されているように、上記支承部１１の底面１１１には、荷重センサ５に連接されたトリガ３が底面１１１の周縁部を挿通して弾性的に突出し、上下方向に可動自在とされている。一方、上記差し込み部２１の下端周縁部には頂部が半球状のトリガ３と遊嵌する凹部４が半球状に穿たれている。トリガ３は、荷重により弾性的に変位し、この変位はトリガ３の下方に内設された荷重センサ５に伝達され、荷重センサから電送されたデータはコントローラ６に内蔵されたマイクロプロセッサで処理される。これら一連の操作に必要な電力は電源ユニット７から供給される。
【００１３】
つぎに、本発明の防犯装置付き門扉の動作について説明する。図３は、左右の扉本体Ａ、Ａを閉じたときの本発明にかかる肘壷１の内部を示す説明図である。図３においては、理解を容易とするため一部を断面で示している。本実施形態においては、扉本体Ａ、Ａは左右の門柱Ｂ、Ｂの上部に設けられた肘壷Ｃ、Ｃによって支持されているため、下部に配設された上記肘壷１の支承部１１の底面１１１と、肘金２の差し込み部２１の下端面との間には隙間ｄを設けることが可能であり、通常、上記隙間ｄが介在した状態でトリガ３は凹部４と遊嵌している。トリガ３は荷重センサ５に連接しており、トリガ３のアナログ変位は荷重センサ５からコントローラ６に電送される。コントローラ６は内蔵したマイクロプロセッサで荷重センサ５からのデータを電子化処理し、侵入検知または開扉検知を判断する。
【００１４】
侵入者が扉本体Ａを乗り越えるときは、通常時よりも大きい荷重がかかるため左右の門柱Ｂ、Ｂの上部に設けられた肘壷Ｃ、Ｃでは支持し切れず肘壷１にその荷重が伝えられる。すなわち、図４によく示されているように、肘金２の差し込み部２１が荷重によって下がり、トリガ３は凹部４によって押えられ、下方に変位する。荷重センサ５は、点線で示した部分の変位を認識し、コントローラ６に電送する。コントローラ６ではトリガ３の変位が上記隙間ｄの範囲内であるかどうかを判断し、隙間ｄの範囲内と認識すれば、侵入警報発信システム８を作動させる。コントローラ６からの指令により、侵入警報発信システム８は、ブザーや人工音声、赤色灯の発光や閃光等を発生させ、侵入者を撃退する。
【００１５】
図５は、扉本体Ａを回動したときの本発明の肘壷１の内部を示す説明図である。図５からよくわかるように、扉本体Ａが回動すると、肘金２の差し込み部２１も回動し、トリガ３と凹部４との遊嵌が外れ、差し込み部２１の下端面が摺動して、トリガ３を押える。押えられたトリガ３は、点線で示した部分に弾性的に変位するとともに、荷重センサ５は、この変位を認識し、コントローラ６に電送する。コントローラ６ではトリガ３のアナログ変位が上記隙間ｄよりも大であるかどうかを判断し、ｄよりも大と認識すれば開扉警報発信システム９を作動させる。コントローラ６からの指令により、開扉警報発信システム９は、人工音声や信号音、チャイム等を発生させ、使用者に開扉を報知する。
【００１６】
図６に本発明にかかる防犯装置付き門扉の正面図を示す。図６においては、既述のように、左右門柱Ｂ、Ｂの下部に本発明にかかる肘壷１を配設している。このように、侵入者の扉本体の乗り越えを検知する侵入検知と、門扉が開の状態を検知する開扉検知とを共に左右門柱Ｂ、Ｂの下部に配設した上記肘壷１において行なえるとともに、１つの荷重センサを兼用するため、簡単かつ低コストで、見栄えのよい防犯装置付き門扉を提供することができる。
【００１７】
【発明の効果】
以上述べたように、請求項１に記載の発明は上記のとおりであり、とくに、門柱に固定された肘壷のうち、少なくとも１つを侵入検知機能と開扉検知機能とを備えた肘壷１とし、侵入検知と、開扉検知とを共に、該肘壷１において行ない、上記肘壷１に内設した荷重センサ５を上記両検知に兼用することを特徴とする。このようにすることによって、簡単な作業で、コスト的に有利に、防犯装置を備えた門扉を提供することができる。
【００１８】
請求項２に記載の発明は、侵入検知機能と開扉検知機能とを備えた肘壷１が左右門柱Ｂ、Ｂの下部に配設されることが好ましい。左右門柱Ｂ、Ｂの上部２個所には公知の肘壷Ｃ、Ｃを設けて左右扉本体Ａ、Ａの支持用とし、左右門柱Ｂ、Ｂの下部２個所に侵入検知機能と開扉検知機能とを備えた肘壷１を配設して、専ら、上記侵入検知あるいは、開扉検知用として利用する。このようにすることによって、請求項１に記載の発明の効果に加えて、本発明にかかる肘壷１の誤作動を防ぐとともに、損傷を少なくして長期間使用することができる。
【００１９】
請求項３に記載の発明は、上記肘金２の差し込み部２１下端周縁部に穿たれた凹部４とトリガ３との遊嵌が容易に外れるように上記トリガ３の頂部が半球状とされる。このようにすることにより、請求項１に記載の発明の効果に加えて、上記凹部４とトリガ３との遊嵌を容易に外せるとともに、上記差し込み部２１の下端面がスムースに摺動してトリガ３を押え、押えられたトリガ３は弾性的に変位して、荷重センサ５に扉が開の状態を伝達する。
【００２０】
請求項４に記載の発明は、本発明にかかる防犯装置付き門扉が、さらに荷重センサ５に連結されるコントローラ６と、電源ユニット７とを含む。マイクロプロセッサを内蔵したコントローラ６は、荷重センサ５から電送されたデータを処理し、電源ユニット７はこれらの操作に必要な電力を供給する。このようにすることによって、荷重によるトリガ３のアナログ変位を、荷重センサ５を経て速やかに電子化処理することができる。
【００２１】
請求項５に記載の発明は、上記コントローラ６が、侵入検知または開扉検知を判断するとともに、侵入警報発信システム８または開扉警報発信システム９を作動させる。このようにすることによって、請求項４に記載の発明の効果に加えて、侵入者を撃退することができ、また、使用者に扉が開いていることを報知し、注意を喚起することができる。
【図面の簡単な説明】
【図１】本発明の防犯装置付き門扉の外観を示す部分分解斜視図である。
【図２】図１の要部を示す一部透視斜視図である。
【図３】本発明にかかる肘壷の内部を示す説明図である。
【図４】侵入検知をしたときの本発明にかかる肘壷の動作を示す説明図である。
【図５】開扉検知をしたときの本発明にかかる肘壷の動作を示す説明図である。
【図６】本発明にかかる防犯装置付き門扉を示す正面図である。
【符号の説明】
Ａ        扉本体
Ｂ        門柱
Ｃ        扉本体支持用肘壷
ｄ        肘壷の肘金支承部の底面と肘金の差し込み部の下端面との間の隙間
１        本発明にかかる肘壷
１１      上記の肘金支承部
１１１    上記の底面
２        肘金
２１      上記の差し込み部
３        トリガ
４        肘金の差し込み部に穿たれた凹部
５        荷重センサ
６        コントローラ
７        電源ユニット
８        侵入警報発信システム
９        開扉警報発信システム
【図１】
2005002564.tif 000003
【図２】
2005002564.tif 000004
【図３】
2005002564.tif 000005
【図４】
2005002564.tif 000006
【図５】
2005002564.tif 000007
【図６】
2005002564.tif 000008